(57)【要約】【課題】シール性を高めることのできる換気装置と熱交換素子とこの熱交換素子を有する熱交換ユニットとを提供する。【解決手段】吸込口２７，２８と排気口２９と外気導入口３０と給気口３１とを有する本体ケース２１と、室内の空気と外気との熱交換を行う熱交換素子４０と、熱交換素子４０を左右から挟み込む風路枠体５０とを備え、排気口２９および外気導入口３０に連通した第１連通口３２Ａおよび第２連通口３２Ｂを有する区画壁３２を本体ケース２１に設け、この区画壁３２と本体ケース２１の側壁部との間に風路枠体５０を配置し、風路枠体５０内に熱交換素子４０が配置され、風路枠体５０が側壁部２１Ａと区画壁３２に当接して吸込口と給気口とが仕切られ、第１連通口３２Ａと第２連通口３２Ｂとが仕切られており、風路枠体５０は、熱交換素子４０を風路枠体５０内に挿入して配置する際、その挿入により側壁部２１Ａおよび区画壁３２に圧接する。【選択図】  図２
2004211957.tif 000002
【特許請求の範囲】
【請求項１】
室内の空気を吸い込む吸込口と、この吸い込んだ空気を排気する排気口と、外気を導入する外気導入口と、この外気導入口から導入された外気を室内へ給気する給気口とを有するとともに、前記吸込口と給気口とを一側壁部側に形成し、前記排気口と外気導入口とを他側壁部に形成した本体ケースと、
前記吸込口から吸い込まれた室内の空気と前記外気導入口から導入された外気との熱交換を行う熱交換素子と、
前記排気口と吸込口とを前記熱交換素子と排気を行う排気ファンを介して連通させる第１連通風路を形成し、且つ、前記外気導入口と給気口とを熱交換素子と給気を行う給気ファンを介して連通させる第２連通風路を形成し、排気ファンの吸気側第１連通風路と給気ファンの給気側第２連通風路とで形成した連通風路形成体とを備え、前記本体ケースの一側壁部側内部に前記連通風路形成体を配設するとともに、他側壁部側内部に前記排気ファンと前記給気ファンとを有するファン室を設け、前記連通風路形成体内に前記熱交換素子が配置され、この連通風路形成体が前記一側壁部および区画壁に当接して前記吸込口と給気口とが仕切られ、前記排気口と外気導入口とが仕切られている換気装置であって、
前記連通風路形成体は、前記熱交換素子を連通風路形成体内に挿入して配置する際、その挿入により前記一側壁部および区画壁に圧接することを特徴とする換気装置。
【請求項２】
前記連通風路形成体は、下が開放されるとともに上方にいくにしたがって幅が狭くなるＶ字形の傾斜ガイド面を有し、この傾斜ガイド面に沿って前記熱交換素子が挿入されることを特徴とする請求項１に記載の換気装置。
【請求項３】
前記連通風路形成体は、前記一側壁部側と他側壁部側との左右に分割されていることを特徴とする請求項１または請求項２に記載の換気装置。
【請求項４】
一側面から他側面に向けて空気を流す第１風路と、その一側面に隣接する他の一側面から他の他側面に向けて空気を流すとともに第１風路と直交する方向に形成された第２風路とを有し、第１風路に流れる空気と第２風路に流れる空気との間で熱交換を行う熱交換素子であって、
隣接する面と面との間に形成される角部を面取りしたことを特徴とする熱交換素子。
【請求項５】
室内の空気を吸い込む吸込口と、この吸い込んだ空気を排気する排気口と、外気を導入する外気導入口と、この外気導入口から導入された外気を室内へ給気する給気口とを有する本体ケース内に設置される熱交換ユニットであって、
この熱交換ユニットは、請求項４に記載の熱交換素子と、請求項２に記載の連通風路形成体とから構成され、この連通風路形成体のＶ字形の傾斜ガイド面間に前記熱交換素子が配置されることを特徴とする熱交換ユニット。
【請求項６】
請求項５に記載の熱交換ユニットを備えていることを特徴とする換気装置。
【発明の詳細な説明】
【０００１】
【発明の属する技術分野】
この発明は、室内の空気を換気する換気装置と、この換気装置に使用される熱交換素子と、この熱交換素子を有する熱交換ユニットとに関する。
【０００２】
【従来の技術】
従来から、図１９に示すように室内の空気と外気との熱交換を行う熱交換素子を備えた換気装置が知られている（例えば特許文献１参照）。
【０００３】
図１９に示す換気装置は、室内の空気を吸い込む吸込口１と、この吸い込んだ空気を排気する排気口２と、外気を導入する外気導入口３と、この外気導入口３から導入された外気を室内へ給気する給気口４とを有する本体ケース５と、吸込口１から吸い込まれた室内の空気と外気導入口３から導入された外気との熱交換を行う熱交換素子６と、吸込口１から室内の空気を吸い込んで排気口２へ送風するシロッコファン７と、外気導入口３から外気を導入して給気口４へ送風するシロッコファン８等とを備えている。
【０００４】
シロッコファン７，８は区画壁９により区画形成されたファン室１０に配置され、区画壁９には排気口２に連通する排気連通口９Ａと外気導入口３に連通する外気導入連通口９Ｂとが設けられている。
【０００５】
熱交換素子６は、発泡樹脂からなる枠体１１内に保持され、この枠体１１が本体ケース５内に取り付けられている。
【０００６】
枠体１１は、本体ケース５の吸込口１と区画壁９の排気連通口９Ａとを熱交換素子６を介して連通させる連通風路６Ａと、本体ケースの給気口４と区画壁９の外気導入連通口９Ｂとを熱交換素子６を介して連通させる連通風路６Ｂとを形成している。
【０００７】
そして、枠体１１は、本体ケース５の側壁５Ａの内面に当接することにより、給気口４側からその側壁５Ａに沿って吸込口１へ空気が漏れてしまうのを防止するように給気口４と吸込口１とを仕切っている。また、区画壁９に枠体１１が当接することにより、区画壁９の外気導入連通口９Ｂから空気がその区画壁９に沿って排気連通口９Ａへ漏れてしまうのを防止するように外気導入連通口９Ｂと排気連通口９Ａとを仕切っている。また、枠体１１は上下に分割された上下枠体部１１Ａ，１１Ｂから構成されている。
【０００８】
【特許文献１】
特開平９−１２６５１４号（段落００２７、図１、図４）
【０００９】
【発明が解決しようとする課題】
ところで、このような換気装置にあっては、図２０に示すように上枠体部１１Ａを本体ケース５内に取り付け、図２１に示すようにこの上枠体部１１Ａに熱交換素子６をセットし、この後に図１９に示すように下枠体部１１Ｂを本体ケース５に挿入して熱交換素子６をその上枠体部１１Ａと下枠体部１１Ｂとで保持するものである。
【００１０】
このように、上枠体部１１Ａおよび下枠体部１１Ｂを本体ケース５に挿入して本体ケース５に取り付けるものであるから、上枠体部１１Ａおよび下枠体部１１Ｂが本体ケース５の側壁５Ａや区画壁９に十分に密接しない虞があり、このため、給気口４側から吸込口１への空気の漏れや外気導入連通口９Ｂから排気連通口９Ａへの空気の漏れが生じてしまう問題があった。
【００１１】
また、熱交換素子６の角部６ａ〜６ｄを上下枠体部１１Ａ，１１Ｂで押さえて熱交換素子６を保持するために、図２２に示すように、上下枠体部１１Ａ，１１ＢにＶ字溝１３，１５や切り込み等を設けて熱交換素子６の角部６ａ〜６ｄに当接させる当接面１３Ａ，１４Ａ，１４Ｂ，１５Ａを形成しているが、上下枠体部１１Ａ，１１Ｂが発泡樹脂であることにより、そのＶ字溝１３，１５の角部１３ａ，１５ａや当接面１４Ａ，１４Ｂの端部１４ａ１４ｂを先鋭にすることができない。このため、熱交換素子６の角部６ａ〜６ｄが当接面全体に密接せず、その角部６ａ〜６ｄでも空気の漏れが生じる問題があった。
【００１２】
この発明の目的は、空気漏れに対するシール性を高めることのできる換気装置と熱交換素子とこの熱交換素子を有する熱交換ユニットとを提供することにある。
【００１３】
【課題を解決するための手段】
上記目的を達成するため、請求項１の発明は、室内の空気を吸い込む吸込口と、この吸い込んだ空気を排気する排気口と、外気を導入する外気導入口と、この外気導入口から導入された外気を室内へ給気する給気口とを有するとともに、前記吸込口と給気口とを一側壁部側に形成し、前記排気口と外気導入口とを他側壁部に形成した本体ケースと、
前記吸込口から吸い込まれた室内の空気と前記外気導入口から導入された外気との熱交換を行う熱交換素子と、
前記排気口と吸込口とを前記熱交換素子と排気を行う排気ファンを介して連通させる第１連通風路を形成し、且つ、前記外気導入口と給気口とを熱交換素子と給気を行う給気ファンを介して連通させる第２連通風路を形成し、排気ファンの吸気側第１連通風路と給気ファンの給気側第２連通風路とで形成した連通風路形成体とを備え、前記本体ケースの一側壁部側内部に前記連通風路形成体を配設するとともに、他側壁部側内部に前記排気ファンと前記給気ファンとを有するファン室を設け、前記連通風路形成体内に前記熱交換素子が配置され、この連通風路形成体が前記一側壁部および区画壁に当接して前記吸込口と給気口とが仕切られ、前記排気口と外気導入口とが仕切られている換気装置であって、
前記連通風路形成体は、前記熱交換素子を連通風路形成体内に挿入して配置する際、その挿入により前記一側壁部および区画壁に圧接することを特徴とする。
【００１４】
請求項２の発明は、前記連通風路形成体は、下が開放されるとともに上方にいくにしたがって幅が狭くなるＶ字形の傾斜ガイド面を有し、この傾斜ガイド面に沿って前記熱交換素子が挿入されることを特徴とする。
【００１５】
請求項３の発明は、前記連通風路形成体は、前記一側壁部側と他側壁部側との左右に分割されていることを特徴とする。
【００１６】
請求項４の発明は、一側面から他側面に向けて空気を流す第１風路と、その一側面に隣接する他の一側面から他の他側面に向けて空気を流すとともに第１風路と直交する方向に形成された第２風路とを有し、第１風路に流れる空気と第２風路に流れる空気との間で熱交換を行う熱交換素子であって、
隣接する面と面との間に形成される角部を面取りしたことを特徴とする。
【００１７】
請求項５の発明は、室内の空気を吸い込む吸込口と、この吸い込んだ空気を排気する排気口と、外気を導入する外気導入口と、この外気導入口から導入された外気を室内へ給気する給気口とを有する本体ケース内に設置される熱交換ユニットであって、
この熱交換ユニットは、請求項４に記載の熱交換素子と、請求項２に記載の連通風路形成体とから構成され、この連通風路形成体のＶ字形の傾斜ガイド面間に前記熱交換素子が配置されることを特徴とする。
【００１８】
請求項６の発明は、請求項５に記載の熱交換ユニットを備えた換気装置であることを特徴とする。
【００１９】
【発明の実施の形態】
以下、この発明に係わる換気装置の実施形態を図面に基づいて説明する。
【００２０】
図１から図３に示す換気装置２０は、本体ケース２１と、この本体ケース２１のファン室２２に配置された第１，第２遠心ファン２３，２４と、本体ケース２１内に設けた熱交換素子４０と、この熱交換素子４０を挟持する風路枠体（連通風路形成体）５０等とを備えている。本体ケース２１の下面の右側（図１および図２において）にはフロントパネル２５が取り付けれており、フロントパネル２５の中央部には吸気グリル２６が設けられている。
［本体ケース２１］
本体ケース２１には、室内の空気（ＲＡ）を吸い込む吸込口（還気口）２７，２８と、この吸い込んだ空気を排気する排気口２９と、外気（ＯＡ）を導入する外気導入口３０と、この外気導入口３０から導入された外気を室内へ給気（ＳＡ）する給気口３１とが設けられている。吸込口２７は本体ケースの下面の右側に設けられており、吸込口２８および給気口３１は本体ケース２１の右側壁（一側壁部）２１Ａに設けられている。また、排気口２９および外気導入口３０は本体ケース２１の左側壁（他側壁部）２１Ｂに設けられている。
【００２１】
そして、本体ケース２１の左側壁２１Ｂには排気口２９に連通したダクトジョイント２９Ｄと外気導入口３０に連通したダクトジョイント３０Ｄとが取り付けられており、排気口２９から排気される空気（ＥＡ）はダクトジョイント２９Ｄに接続される図示しないダクトを介して外へ排気され、外の外気はダクトジョイント３０Ｄに接続される図示しないダクトを介して外気導入口３０に導入されるようになっている。
【００２２】
本体ケース２１の右側壁２１Ａには、吸込口２８に連通したダクトジョイント２８Ｄと給気口３１に連通したダクトジョイント３１Ｄとが取り付けられており、給気口３１から給気される空気はダクトジョイント３１Ｄに接続される図示しないダクトを介して室内へ給気されるようになっている。なお、この実施形態ではダクトジョイント２８Ｄは閉塞部材２８ｈにより閉塞されている。
【００２３】
本体ケース２１内は、区画壁３２によってファン室２２と熱交換素子室３４とに左右に区画されている。ファン室２２は、仕切壁３５によって上下に上ファン室部２２Ａと下ファン室部２２Ｂとに仕切られている。上ファン室部２２Ａには第１遠心ファン２３が配置され、下ファン室部２２Ｂには第２遠心ファン２４が配置されている。仕切壁３５にはモータ３６が設けられており、このモータ３６によって第１，第２遠心ファン２３，２４が同時に回転駆動されるようになっている。
【００２４】
区画壁３２には、図４に示すように第１連通口（排気口）３２Ａと第２連通口（外気導入口）３２Ｂとが設けられており、第１連通口３２Ａは上ファン室部２２Ａを介して排気口２９に連通し、第２連通口３２Ｂは下ファン室部２２Ｂを介して外気導入口３０に連通している。
［熱交換素子４０］
熱交換素子４０は、図５に示すように、Ｘ方向に空気を流す方向に多数の風路（第１風路）を形成した熱交換素子材４０ａと、Ｙ方向に空気を流す方向に多数の風路（第２風路）を形成した熱交換素子材４０ｂとを交互に積層して直方体状に構成したものであり、空気が流出入する４つの面４０Ａ〜４０Ｄを有している。各熱交換素子材４０ａ，４０ｂに空気が流れることにより各熱交換素子材４０ａ，４０ｂを介して熱交換が行われるようになっている。
【００２５】
また、熱交換素子４０は、互いに隣接する各面４０Ａ〜４０Ｄの間の角部４０ｅが面取りされ、この面取りされた面４１にシール部材４２ａ〜４２ｄが貼られている。面取り寸法は、この実施形態では後述する熱交換素子４０の波板部材４３，４４の山と山の寸法（ピッチ寸法）の２．５倍である１０ｍｍとしている。
【００２６】
熱交換素子４０の両端面（図５の上面および下面）は、図６に示す枠部材４６が装着される。この枠部材４６は板部４６Ｗを有し、この板部４６Ｗには熱交換素子４０の面４０Ａ〜４０Ｄに当接する当接リブ４６Ａ〜４６Ｄが形成されている。また、枠部材４６の板部４６Ｗの両側部には側壁部４６Ｘ，４６Ｘが形成されており、側壁部４６Ｘ，４６Ｘ間の距離はＨとなっている。
【００２７】
ここで、熱交換素子４０の角部にシール部材４２ａ〜４２ｄを貼る理由を説明する。
【００２８】
各熱交換素子材４０ａ，４０ｂは、図７に示すように波形に形成された波板部材４３，４４で空気の流れる方向を決めている。つまり、波板部材４３，４４はその波の周期が繰り返す方向と直交する方向に空気を流すようになっており、波板部材４３はＸ方向に、波板部材４４はＹ方向に空気を流すようになっている。
【００２９】
このため、熱交換素子４０の角部４０ｅでは、図７に示すように、波板部材４４で形成される斜線で示す領域Ｓ１の面はＹ方向に開放され、波板部材４３で形成される斜線で示す領域Ｓ２の面はＸ方向に開放されている。このため、Ｘ方向から流れて熱交換素子材４０ｂの面Ｓａに入り込んだ空気は領域Ｓ２からＹ方向へ漏れることになる。同様に、Ｙ方向から熱交換素子材４０ａの面Ｓｂに入り込んだ空気は領域Ｓ２からＸ方向に漏れることになる。さらに、熱交換素子材４０ｂの板材４０ｂ１の端部Ａ１と波板部材４４の端部４４ａとの接着が十分でないと、その板材４０ｂ１の端部Ａ１と波板部材４４の端部４４ａとの隙間ＫへＸ方向からの空気が入り込み、波板部材４４で形成される領域Ｓ３からＹ方向へ空気が漏れてしまう。
【００３０】
このため、熱交換素子４０の角部４０ｅをＬ１，Ｌ２の範囲（この実施形態では例えばＬ１は約１０ｍｍ、Ｌ２は約１０ｍｍ、波板部材４４の山と山との間のピッチ寸法は約４ｍｍであり、面取り寸法は波板部材４３，４４のピッチ寸法の約２〜３倍が妥当である。）に亘ってシール部材でシールする必要がある。従来は、この角部４０ｅのＸＹ面に亘ってシール部材でシールしているが、シール部材がＸＹ面の両面に亘ってシールするため、その貼り付け作業が面倒である。また、シール部材が角で折り曲げられるため、そのシール部材は元の状態に戻ってそのＸＹ面から剥がれてしまう場合があった。このため、熱交換素子を保管している間は、そのシール部材が剥がれないように押さえておく必要があった。
【００３１】
この実施形態の熱交換素子４０では、図８に示すように、従来のシール部材を貼る部分の角部４０ｅを面取りし、この面取りした面４１にシール部材４２ａ〜４２ｄを貼ったものである。このため、そのシール部材４２ａ〜４２ｄを貼り付ける面は一面であり、その貼り付け作業は簡単なものとなる。さらに、シール部材４２ａ〜４２ｄは折り曲がらないため剥がれる虞がなく、熱交換素子４０を保管している間そのシール部材４２ａ〜４２ｄを押さえておく必要もない。また、従来のシール部材を貼る範囲を面取りしたので、熱交換素子４０の有効面積を減少させずに済むことになる。
［風路枠体５０］
風路枠体５０は、図９に示すように、左右に分割された発泡樹脂製の左枠体部５１と右枠体部６０とを有している。
［左枠体部５１］
左枠体部５１は、図１０および図１１に示すように、本体ケース２１の区画壁３２（図２参照）に当接する当接壁部５２を有し、この当接壁部５２にはその区画壁３２の第１，第２連通口３２Ａ，３２Ｂにそれぞれ対向する開口５２Ａ，５２Ｂが形成されている。また、当接壁部５２の上部には右方（図１０において）に延びた天井壁部５３が形成され、当接壁部５２の中間部（高さ方向に対する中間位置）には開口５２Ａ，５２Ｂを上下に仕切る仕切壁部５４が形成されている。この仕切壁部５４は右方に突出するとともに天井壁部５３より短く設定されている。この仕切壁部５４の先端部には右側（図１０において）に向いた平坦状の当接面５４ａが形成されている。当接面５４ａは熱交換素子４０のシール部材４２ｂに当接するようになっている。
【００３２】
また、当接壁部５２の両側部には、当接壁部５２の上部から下部まで延びるとともに天井壁部５３および仕切壁部５４の両側端に接続された側壁部５５，５５が形成されている。この側壁部５５，５５には、仕切壁部５４の位置から天井壁部５３の位置にかけて右下方（図１０において）に向いた傾斜面（傾斜ガイド面）５５Ａ，５５Ａが形成されている。この傾斜面５５Ａの傾斜角度は垂直線に対してほぼ４５度に設定されれている。また、天井壁部５３の先端部５３Ａは傾斜面５５Ａの上端より右方へ突出しており、その先端部５３Ａの下面は平坦状の当接面５３ｂとなっている。
［右枠体部６０］
右枠体部６０は、図９，１２および図１３に示すように、本体ケース２１の右側壁２１Ａに当接する当接壁部６１を有している。この当接壁部６１には、その右側壁２１Ａの吸込口２８および給気口３１に対向する開口６１Ａ，６１Ｂが形成されている。また、当接壁部６１の上部には左方（図１３において）に延びた天井壁部６２が形成され、また、当接壁部６１の中間部（高さ方向に対する中間位置）には開口６１Ａ，６１Ｂを上下に仕切る仕切壁部６３が形成されている。この仕切壁部６３は左方に突出するとともに天井壁部６２より短く設定されている。この仕切壁部６３の先端部には左側（図１３において）に向いた平坦状の当接面６３ａが形成されている。当接面６３ａは熱交換素子４０のシール部材４２ｄに当接するようになっている。
【００３３】
また、当接壁部６１の両側部には、当接壁部６１の上部から下部まで延びるとともに天井壁部６２および仕切壁部６３の両側端に接続された側壁部６４，６４が形成されている。この側壁部６４，６４には、仕切壁部６３の位置から天井壁部６２の位置にかけて左下方（図１３において）に向いた傾斜面（傾斜ガイド面）６４Ａ，６４Ａが形成されている。傾斜面６４Ａの傾斜角度は、垂直線に対してほぼ４５度に設定されている。また、天井壁部６２の先端部６２Ａは傾斜面６４Ａの上端より左方へ突出しており、その先端部６２Ａの下面は平坦状の当接面６２ｂとなっている。
【００３４】
そして、熱交換素子４０と風路枠体５０とから熱交換ユニットが構成され、この風路枠体５０のＶ字形の傾斜面（６４Ａ，６４Ａ）、（５５Ａ，５５Ａ）間に熱交換素子４０が配置される。
［熱交換素子４０の取り付け方］
先ず、熱交換素子４０の取り付け方について説明する。
【００３５】
図１４に示すように、本体ケース２１の熱交換素子室３４内に風路枠体５０の左枠体部５１を挿入して、左枠体部５１の天井壁部５３を本体ケース２１の天板２１Ｃに当接させ、左枠体部５１の当接壁部５２を本体ケース２１の区画壁３２に当接させる。そして、その当接壁部５２の開口５２Ａ，５２Ｂが区画壁３２の第１，第２連通口３２Ａ，３２Ｂにそれぞれ接続される。
【００３６】
次に、図１５に示すように本体ケース２１の熱交換素子室３４に右枠体部６０を挿入して、右枠体部６０の天井壁部６２の先端部６２Ａを左枠体部５１の天井壁部５３の先端部５３Ａに当接させ、その先端部６２Ａを中心にして右枠体部６０を矢印方向に回動させながら、図１６に示すように、右枠体部６０の天井壁部６２を左枠体部５１の天井壁部５３の先端部５３Ａと本体ケース２１の右側壁２１Ａとの間に挿入させる。そして、その当接壁部６１の開口６１Ａと６１Ｂが本体ケース２１の右側壁２１Ａの吸込口２８と給気口３１にそれぞれ接続される。
【００３７】
そして、左枠体部５１の傾斜面５５Ａと右枠体部６０の傾斜面６４Ａとで下方が開放するとともに上方に行くにしたがって幅が狭くなるＶ字形の傾斜ガイド面が形成される。
【００３８】
ところで、本体ケース２１の右側壁２１Ａと区画壁３２との間の距離を、左枠体部５１の天井壁部５３の長さ（図１６において左右方向の長さ）と右枠体部６０の天井壁部６２の長さ（図１６において左右方向の長さ）との和より少し短く設定しておくことにより、右枠体部６０の天井壁部６２を挿入した際に、その左枠体部５１が左方向へ右枠体部６０が右方向へ押し付けられることになり、左枠体部５１の当接壁部５２が本体ケース２１の区画壁３２に密接し、右枠体部６０の当接壁部６１が本体ケース２１の右側壁２１Ａに密接する。これら密接により、区画壁３２と左枠体部５１の当接壁部５２との間のシール性と、本体ケース２１の右側壁２１Ａと右枠体部６０の当接壁部６１との間のシール性が向上することになる。
【００３９】
右枠体部６０および左枠体部５１を図１６に示すように本体ケース２１に装着し終えたら、図１７に示すように、両端に枠部材４６を装着した熱交換素子４０を左枠体部５１と右枠体部６０との間に挿入していく。そして、熱交換素子４０の面４０Ｃ，４０Ｄが枠部材４６の当接リブ４６Ｃ，４６Ｄを介して左右枠体部５１，６０の傾斜面５５Ａ，６４Ａに当接するとともに、熱交換素子４０のシール部材４２ｃ（図５参照）が左枠体部５１の当接面５３ｂおよび右枠体部６０の当接面６２ｂに当接するまで、熱交換素子４０を図１８に示す位置へ押し込む。熱交換素子４０が図１８に示す位置へ押し込まれると、熱交換素子４０のシール部材４２ｂ，４２ｄは左右枠体部５１，６０の当接面５４ａ，６３ａに当接する。
【００４０】
ここで、左右枠体部５１，６０の当接面５４ａと当接面６３ａの間隔およびその両側壁部５５，５５の下部端面５５Ｘ，５５Ｘと両側壁部６４，６４の下部端面６４Ｘ，６４Ｘとの間隔を図６に示す枠部材４６の側壁部４６Ｘ，４６Ｘ間の幅Ｈより狭くなるように設けてあるので、枠部材４６に挟持された熱交換素子４０を挿入することにより左右枠体部５１，６０は左右方向に押し広げられていく。
【００４１】
なお、枠部材４６の側壁部４６Ｘ，４６Ｘの幅Ｈは熱交換素子４０の対向する面４１，４１間の寸法よりやや大きくなるようにくざび形状をとれば熱交換素子４０の挿入とともに徐々に左右枠体部５１，６０は広げられていくことになり、熱交換素子４０はより挿入し易いものとなる。
【００４２】
このため、左枠体部５１の当接壁部５２が本体ケース２１の区画壁３２に圧接され、右枠体部６０の当接壁部６１が本体ケース２１の右側壁２１Ａに圧接される。この圧接により、区画壁３２と左枠体部５１の当接壁部５２との間のシール性と、本体ケース２１の右側壁２１Ａと右枠体部６０の当接壁部６１との間のシール性がさらに向上することになる。
【００４３】
また、熱交換素子４０のシール部材４２ｂ，４２ｄは左右枠体部５１，６０の当接面５４ａ，６３ａに当接するが、その当接面５４ａ，６３ａが平坦状であることにより、シール部材４２ｂ，４２ｄとその当接面５４ａ，６３ａとの間のシールは十分に確保されることになる。また、熱交換素子４０のシール部材４２ｃは左右枠体部５１，６０の当接面５３ｂ，６２ｂに当接するが、その当接面５３ｂ，６２ｂが平坦状に形成されていることにより、シール部材４２ｃとその当接面５３ｂ，６２ｂとの間のシールは十分に確保されることになる。
【００４４】
熱交換素子４０を図１８に示す位置へ押し込んだら、図２に示すように、保持板７０を本体ケース２１の熱交換素子室３４の下部に取り付ける。この保持板７０には、熱交換素子４０のシール部材４２ａを介してその熱交換素子４０を保持する平坦状の保持部７１が設けられている。また、この保持部７１にはフィルタＦ１，Ｆ２が着脱可能に取り付けられている。
【００４５】
そして、左右枠体部５１，６０すなわち風路枠体５０は、排気口２９と吸込口２７，２８とを熱交換素子４０を介して連通させる第１連通風路を形成し、外気導入口３０と給気口３１とを熱交換素子４０を介して連通させる第２連通風路を形成する。
【００４６】
熱交換素子４０を組み込んだ本体ケース２１は、従来と同様にして予め設けた天井内部に設けられた支持部材にて設置し、この後、フロントパネル２５を取り付ける。
【００４７】
この換気装置２０によれば、第１，第２遠心ファン２３，２４の回転により、室内の空気が吸込口２７から吸い込まれ、矢印Ｑ１で示すようにフィルタＦ２を介して熱交換素子４０を通り、さらに排気口２９，ダクトジョイント２９Ｄおよび図示しないダクトを介して外へ排気される。
【００４８】
他方、図示しないダクトおよびダクトジョイント３０Ｄを介して外気導入口３０に導入された外気は矢印Ｑ２に示すようにフィルタＦ１を介して熱交換素子４０を通り、さらに給気口３１からダクトジョイント３１Ｄおよび図示しないダクトを介して室内へ給気されていく。
【００４９】
そして、熱交換素子４０を通る外気と室内の空気とが熱交換され、外気は適正な温度となって室内へ給気されることになる。
［熱交換ユニット１００］
熱交換ユニット１００は、図９に示すように、風路枠体５０と熱交換素子４０とを備えており、風路枠体５０を構成する左右枠体部５１，６０が別々になっている。ここではこれらセットを熱交換ユニットと称しているが、もちろん左右枠体５１，６０を一体にするとともに（例えば、左枠体部５１の天井壁部５３の先端部５３Ａと右枠体部６０の天井壁部６２の先端部６２Ａとを接続して一体にする。）、その左右枠体部５１，６０間に熱交換素子４０を配置してもよい。
【００５０】
そして、この熱交換ユニット１００を図１７に示すように本体ケース２１にセットした後、熱交換素子４０をその左右枠体部５１，６０間にさらに押し込むことにより、左右枠体部５１，６０を左右方向に押し広げるようにして図１８に示すように左右枠体部５１，６０および熱交換素子４０を取り付ける。
【００５１】
上記実施形態では、熱交換素子４０の面取りした面にシール部材４２ａ〜４２ｄを貼り付けているが、左右枠体部５１，６０や保持板７０に貼り付けてもよい。また、ダクトジョイント２８Ｄを閉塞部材２８ｈにより閉塞して、吸込口２７から室内の空気を吸い込むようにしたいわゆる半隠蔽型（天井カセット型）として使用するものについて説明したが、この吸込口２７を閉塞してダクトジョイント２８Ｄに接続されるダクトを介して室内から空気を吸い込むようにしたいわゆる全隠蔽型（天井埋込型）として使用することも可能である。
【００５２】
上記実施形態では、熱交換素子４０を組み込んだ換気装置２０について説明したが、全熱交換素子であってもよく、この場合は適正な湿度となった空気を室内に給気することが可能である。
【００５３】
【発明の効果】
以上説明したように、この発明によれば、換気装置の空気漏れに対するシール性を高めることができる。
【図面の簡単な説明】
【図１】この発明に係る換気装置の外観の底面を示した説明図である。
【図２】図１に示す換気装置の構成を示した縦断面図である。
【図３】図１に示す換気装置のフロントパネルを外した説明図である。
【図４】区画壁を示した平面図である。
【図５】熱交換素子の構成を示した斜視図である。
【図６】熱交換素子に取り付ける枠部材を示した斜視図である。
【図７】面取り前の熱交換素子の角部を示した拡大斜視図である。
【図８】熱交換素子の角部を面取りした状態を示した説明図である。
【図９】風路枠体を示した斜視図である。
【図１０】左枠体部を示した斜視図である。
【図１１】図１０に示す左枠体部の背面図である。
【図１２】右枠体部を示した背面図である。
【図１３】図１２に示す右枠体部の側面図である。
【図１４】本体ケースの熱交換素子室内に左枠体部を挿入して状態を示した説明図である。
【図１５】本体ケースの熱交換素子室内に右枠体部を挿入して取り付ける状態を示した説明図である。
【図１６】本体ケースの熱交換素子室内に左右枠体部を装着した状態を示した説明図である。
【図１７】本体ケースの熱交換素子室に装着した左右枠体部に熱交換素子を挿入する状態を示した説明図である。
【図１８】本体ケースの熱交換素子室に装着した左右枠体部の所定位置へ熱交換素子を押し込ん状態を示した説明図である。
【図１９】従来の換気装置の構成を示した縦断面図である。
【図２０】本体ケースに上枠体部を装着した状態を示した説明図である。
【図２１】本体ケースに装着した上枠体部に熱交換素子を装着した状態を示した説明図である。
【図２２】熱交換素子の角部に当接する上下枠体部の当接面を示した説明図である。
【符号の説明】
２１                本体ケース
２１Ａ            側壁部（一側壁部）
２７        吸込口
２８        吸込口
２９        排気口
３０        外気導入口
３１        給気口
３２                区画壁
３２Ａ      第１連通口
３２Ｂ      第２連通口
４０        熱交換素子
５０                風路枠体（連通風路形成体）
【図１】
2004211957.tif 000003
【図２】
2004211957.tif 000004
【図３】
2004211957.tif 000005
【図４】
2004211957.tif 000006
【図５】
2004211957.tif 000007
【図６】
2004211957.tif 000008
【図７】
2004211957.tif 000009
【図８】
2004211957.tif 000010
【図９】
2004211957.tif 000011
【図１０】
2004211957.tif 000012
【図１１】
2004211957.tif 000013
【図１２】
2004211957.tif 000014
【図１３】
2004211957.tif 000015
【図１４】
2004211957.tif 000016
【図１５】
2004211957.tif 000017
【図１６】
2004211957.tif 000018
【図１７】
2004211957.tif 000019
【図１８】
2004211957.tif 000020
【図１９】
2004211957.tif 000021
【図２０】
2004211957.tif 000022
【図２１】
2004211957.tif 000023
【図２２】
2004211957.tif 000024